(57)【要約】  【課題】  別個に撮影された商品画像と人物画像とを関連付けし、個人用のカタログを簡易に生成する。  【解決手段】  人物が撮影された画像データを入力する撮影画像入力部３２と、商品が撮影された商品画像データを商品データベースから読み込み、撮影画像入力部３２から入力された画像データと合成する画像合成部４６とを含み、この画像合成部４６は、撮影画像入力部３２から入力された画像データに関連付けられた人物撮影時情報を用いて商品データベースから商品画像データを読み込み、重ねる位置に合わせて画像データおよび商品画像データを加工した後、順次、重ね合わせて合成画像を形成する。  【選択図】  図２
2005174204.tif 000002
【特許請求の範囲】
【請求項１】
着用状態の商品が撮影されて取得された商品画像データを、当該商品が撮影されたときの情報である商品撮影時情報に関連付けて格納する商品画像データ格納手段と、
人物が撮影されたときの情報である人物撮影時情報に関連付けて当該人物が撮影された画像データを取得する画像データ取得手段と、
前記人物撮影時情報と前記商品撮影時情報とを用いて前記商品画像データ格納手段から所定の商品画像データを読み出し、前記画像データ取得手段により取得された前記画像データと当該商品画像データとを合成する合成手段と
を含むカタログ作成システム。
【請求項２】
前記合成手段は、前記商品画像データおよび/または前記画像データの所定部分だけを非透過とする非透過マスクプレーンを作成し、所定のオーバーレイ順序にて、当該非透過マスクプレーンを用いて当該商品画像データおよび当該画像データを合成することを特徴とする請求項１記載のカタログ作成システム。
【請求項３】
前記合成手段は、撮影された人物の情報と前記商品画像データ格納手段に格納される前記商品画像データの情報とを更に関連付け、前記所定の商品画像データを読み出すことを特徴とする請求項１記載のカタログ作成システム。
【請求項４】
前記商品撮影時情報および前記人物撮影時情報は、位置合わせに際して用いられる情報を含む請求項１記載のカタログ作成システム。
【請求項５】
前記商品撮影時情報および前記人物撮影時情報は、被写体が異なった角度で撮影された際の各々の角度に関する情報を含む請求項１記載のカタログ作成システム。
【請求項６】
人物が撮影された画像データを入力する撮影画像入力部と、
商品が撮影された商品画像データを商品データベースから読み込み、前記撮影画像入力部から入力された前記画像データと合成する画像合成部とを含み、
前記画像合成部は、前記撮影画像入力部から入力された前記画像データに関連付けられた人物撮影時情報を用いて前記商品データベースから前記商品画像データを読み込み、重ねる位置に合わせて当該画像データおよび当該商品画像データを加工した後、順次、重ね合わせることを特徴とする画像処理装置。
【請求項７】
前記撮影画像入力部は、人物が複数回撮影された場合に、当該複数回の撮影における撮影条件を示す前記人物撮影時情報と共に前記画像データを入力することを特徴とする請求項６記載の画像処理装置。
【請求項８】
撮影された人物の属性情報を入力する顧客情報入力部を更に備え、
前記画像合成部は、前記顧客情報入力部により入力された前記属性情報を用いて前記商品データベースから前記商品画像データを読み込むことを特徴とする請求項６記載の画像処理装置。
【請求項９】
前記人物撮影時情報は、撮影された際の被写体の角度情報、光源情報、および高さの基準情報の少なくとも何れか１つを含む請求項６記載の画像処理装置。
【請求項１０】
前記商品データベースに格納される前記商品画像データは、商品が撮影された際の角度情報、光源情報、および高さの基準情報の少なくとも何れか１つの商品撮影時情報と関連付けられており、
前記画像合成部は、前記人物撮影時情報と前記商品撮影時情報とに基づいて前記商品データベースから前記商品画像データを読み込むことを特徴とする請求項６記載の画像処理装置。
【請求項１１】
デジタルカメラによって人物が撮影された際の情報を含む人物撮影時情報に関連付けられた画像データを入力し、
デジタルカメラによって商品が撮影された際の情報を含む商品撮影時情報に関連付けて商品画像データが格納されている商品データベースから、前記人物撮影時情報および当該商品撮影時情報を用いて所定の商品画像データを読み込み、
入力された前記画像データと読み込まれた前記商品画像データとを合成することを特徴とする画像処理方法。
【請求項１２】
前記人物撮影時情報および/または前記商品撮影時情報は、撮影された際の被写体の角度情報、光源情報、および高さの基準情報の少なくとも何れか１つを含む請求項１１記載の画像処理方法。
【請求項１３】
前記画像データと前記商品画像データとの合成は、合成部分と非合成部分とを分離し、所定のオーバーレイ順序により画像データが加工されることを特徴とする請求項１１記載の画像処理方法。
【請求項１４】
撮影角度が異なる複数の前記画像データを入力し、
入力された複数の前記画像データの各々に対応させて、撮影角度が異なる複数の前記商品画像データを前記商品データベースから読み込み、
前記撮影角度ごとに合成された画像データを出力することを特徴とする請求項１１記載の画像処理方法。
【請求項１５】
画像データを処理するコンピュータに、
デジタルカメラによって人物が撮影された際の情報を含む人物撮影時情報に関連付けられた画像データを入力する機能と、
デジタルカメラによって商品が撮影された際の情報を含む商品撮影時情報に関連付けて商品画像データが格納されている商品データベースから、前記人物撮影時情報および当該商品撮影時情報を用いて所定の商品画像データを読み込む機能と、
入力された前記画像データと読み込まれた前記商品画像データとを合成する機能と
を実現させるプログラム。
【請求項１６】
前記画像データを入力する機能は、撮影角度情報が異なる前記人物撮影時情報に関連付けられた複数の画像データを入力し、
前記所定の商品画像データを読み込む機能は、前記撮影角度情報に関連付けられた複数の商品画像データを読み込み、
前記合成する機能は、複数の前記画像データと複数の前記商品画像データとを各々の撮影角度ごとに合成することを特徴とする請求項１５記載のプログラム。
【請求項１７】
前記コンピュータに、前記撮影角度ごとに合成された複数の画像データをプリンタに出力する機能を更に実現させる請求項１６記載のプログラム。
【発明の詳細な説明】
【技術分野】
【０００１】
本発明は、顧客に提供されるカタログを作成するカタログ作成システム等に係り、より詳しくは、顧客個人のパーソナルカタログを作成可能なカタログ作成システム等に関する。
【背景技術】
【０００２】
近年、コンピュータ装置やネットワーク等の情報技術の発達に伴い、アパレルメーカや高級ブティック、百貨店、衣料品専門店などの服飾業界においても、かかる技術を取り込むことによる業務の革新が求められている。更に、近年、デジタルカメラの高画質化が進み、例えばＡ４サイズ等の大判サイズに映像情報を出力する場合においても、高い画像品質が得られるようになってきた。また、例えば電子写真方式を採用したプリンタ等の高画質化が急速に進み、銀鉛写真に近い写真画像を簡易かつ迅速に出力することが可能となっている。かかるディジタル映像技術の発展に伴い、例えば服飾業界等において、顧客に対するサービスの強化と販売促進に、これらのディジタル映像技術を活用したいとする要求が高まっている。
【０００３】
特に服飾業界にて、ネットワーク技術やディジタル映像技術を利用した公報記載の従来技術が幾つか存在する。例えば、予め体型をインプットしておき、仮想モデルによる試着シーンをＷｅｂ上で観察させて購買を判断させる内容が開示されている(例えば、特許文献１参照。)。また、商品のデータベースに商品の３次元形状情報を用い、商品と計測対象の複雑な３次元形状情報を利用してカタログ販売を行う内容について示されている(例えば、特許文献２参照。)。更に、例えば、ユーザが自己の写真の正面・背面・側面の３方向の写真をスキャナで読み取り、身長等のサイズと共に、インターネット等を介してサーバにデータを送付し、３枚の画像から、身体の立体画像データを生成する、ファッション商品のコーディネート販売システムおよび方法についての提案がある(例えば、特許文献３参照。)。
【０００４】
【特許文献１】特開２００２−１１７２５２号公報(第４−５頁、図２)
【特許文献２】特開２００２−９９８２６号公報(第３−４頁、図１)
【特許文献３】特開２００２−３７３２６６号公報(第７−９頁、図１)
【発明の開示】
【発明が解決しようとする課題】
【０００５】
しかしながら、上記特許文献１に記載された技術は、あくまでも仮装試着に関するものであり、顧客の顔や肌の色等との微妙なマッチングまでを観察することはできない。特に、試着購入時に顧客が検討事項に挙げる側面像および背面像への対応を図ることは困難である。
また、上記特許文献２には明記されていないものの、この特許文献２に記載された技術を応用すれば、異なった角度の合成写真を作成することは可能である。しかしながら、３次元データによる異なった角度の合成は、処理が非常に重たくなることから、一般に簡易な処理が要求される顧客のカタログ作成に用いられるアプリケーションには適したものとは言えない。また、アクセサリなどの合成のためのデータ(例えばネックレス)を作成しても、３次元データでは合成時に肌や服に密着させることは困難である。
【０００６】
更に、上記特許文献３では、３方向の合成に言及されているが、商品カタログにおける商品の画像情報と取得されるユーザの画像とは、サイズ情報を用いたシミュレーションにて組み合わせ画像が形成されている。例えば、ユーザ画像はスキャナで読み込まれ、身長等のサイズと共に送信され、３枚の画像から身体の立体画像データを生成すると記載されている。技術的な観点からすると、本当にこれらの合成画像が生成可能であるか否かに疑問が残ると共に、仮に立体画像データを生成できたとしても、ユーザの個人情報からシミュレーションして画像を編集することが必要であり、処理が非常に重たくなる。また、生成できたとしても、現実には身体と服という非常に近接したものを合成することが必要であり、単なるシミュレーションの合成では映像に矛盾が生じる場合が多い。
【０００７】
本発明は、以上のような技術的課題を解決するためになされたものであって、その目的とするところは、別個に撮影された商品画像と人物画像とを関連付けし、個人用のカタログを簡易に生成することにある。
また他の目的は、顧客による商品注文の利便性を向上させると共に、商品の販売促進に寄与できるシステムを提供することにある。
【課題を解決するための手段】
【０００８】
かかる目的のもと、本発明が適用されるカタログ作成システムは、着用状態の商品が撮影されて取得された商品画像データを、この商品が撮影されたときの情報である商品撮影時情報に関連付けて商品画像データ格納手段に格納し、人物が撮影されたときの情報である人物撮影時情報に関連付けて人物が撮影された画像データを画像データ取得手段により取得する。そして、この人物撮影時情報と商品撮影時情報とを用いて商品画像データ格納手段から所定の商品画像データを読み出し、画像データ取得手段により取得された画像データとこの商品画像データとを合成手段によって合成している。
【０００９】
ここで、この合成手段は、商品画像データおよび/または画像データの所定部分だけを非透過とする非透過マスクプレーンを作成し、所定のオーバーレイ順序にて、非透過マスクプレーンを用いて商品画像データおよび画像データを合成することを特徴とすることができる。また、この合成手段は、撮影された人物の情報と商品画像データ格納手段に格納される商品画像データの情報とを更に関連付け、所定の商品画像データを読み出すことを特徴とすることができる。更に、この商品撮影時情報および人物撮影時情報は、位置合わせに際して用いられる情報を含み、また、被写体が異なった角度で撮影された際の各々の角度に関する情報を含むことを特徴とすることができる。
【００１０】
一方、本発明が適用される画像処理装置は、人物が撮影された画像データを入力する撮影画像入力部と、商品が撮影された商品画像データを商品データベースから読み込み、撮影画像入力部から入力された画像データと合成する画像合成部とを含み、この画像合成部は、撮影画像入力部から入力された画像データに関連付けられた人物撮影時情報を用いて商品データベースから商品画像データを読み込み、重ねる位置に合わせて画像データおよび商品画像データを加工した後、順次、重ね合わせることを特徴としている。ここで、この撮影画像入力部は、人物が複数回撮影された場合に、複数回の撮影における撮影条件を示す人物撮影時情報と共に画像データを入力することを特徴とすることができる。
【００１１】
また、撮影された人物の属性情報を入力する顧客情報入力部を更に備え、上記画像合成部は、顧客情報入力部により入力された属性情報を用いて商品データベースから商品画像データを読み込むことを特徴とすることができる。更に、この人物撮影時情報は、撮影された際の被写体の角度情報、光源情報、および高さの基準情報の少なくとも何れか１つを含み、この商品データベースに格納される商品画像データは、商品が撮影された際の角度情報、光源情報、および高さの基準情報の少なくとも何れか１つの商品撮影時情報と関連付けられており、画像合成部は、人物撮影時情報と商品撮影時情報とに基づいて商品データベースから商品画像データを読み込むことを特徴とすることができる。
【００１２】
本発明を方法のカテゴリから把えると、本発明が適用される画像処理方法は、デジタルカメラによって人物が撮影された際の情報を含む人物撮影時情報に関連付けられた画像データを入力し、デジタルカメラによって商品が撮影された際の情報を含む商品撮影時情報に関連付けて商品画像データが格納されている商品データベースから、人物撮影時情報および商品撮影時情報を用いて所定の商品画像データを読み込む。そして、この入力された画像データと読み込まれた商品画像データとを合成することを特徴としている。ここで、人物撮影時情報および/または商品撮影時情報は、撮影された際の被写体の角度情報、光源情報、および高さの基準情報の少なくとも何れか１つを含むことを特徴とすれば、合成に際して複数の画像データに対して簡単に関連付けを行い、また、簡易に合成ができる点で優れている。また、この画像データと商品画像データとの合成は、合成部分と非合成部分とを分離し、所定のオーバーレイ順序により画像データが加工されることを特徴とすることができる。更に、撮影角度が異なる複数の画像データを入力し、入力された複数の画像データの各々に対応させて、撮影角度が異なる複数の商品画像データを商品データベースから読み込み、撮影角度ごとに合成された画像データを出力すれば、異なる撮影角度からの合成画像データを得ることが可能となり、例えば、被服購入時に問題とされる側面、背面像を確認することができる点で好ましい。
【００１３】
他の観点から把えると、本発明が適用されるプログラムは、画像データを処理するコンピュータに、デジタルカメラによって人物が撮影された際の情報を含む人物撮影時情報に関連付けられた画像データを入力する機能と、デジタルカメラによって商品が撮影された際の情報を含む商品撮影時情報に関連付けて商品画像データが格納されている商品データベースから、人物撮影時情報および商品撮影時情報を用いて所定の商品画像データを読み込む機能と、入力された画像データと読み込まれた商品画像データとを合成する機能と、を実現させる。
【００１４】
ここで、この画像データを入力する機能は、撮影角度情報が異なる人物撮影時情報に関連付けられた複数の画像データを入力し、また、所定の商品画像データを読み込む機能は、撮影角度情報に関連付けられた複数の商品画像データを読み込み、更に、合成する機能は、複数の画像データと複数の商品画像データとを各々の撮影角度ごとに合成することを特徴とすることができる。
また、本実施の形態が適用されるプログラムは、コンピュータに、撮影角度ごとに合成された複数の画像データをプリンタに出力する機能を更に実現させる。
【００１５】
尚、これらのプログラムは、これらのプログラムをコンピュータに対して提供する際に、例えばコンピュータ装置にインストールされた状態にて提供される場合の他、コンピュータに実行させるプログラムをコンピュータが読取可能に記憶した記憶媒体にて提供する形態が考えられる。この記憶媒体としては、例えば各種ＤＶＤやＣＤ−ＲＯＭ媒体等が該当し、ＤＶＤやＣＤ−ＲＯＭ読取装置等によってプログラムが読み取られ、ＨＤＤやフラッシュＲＯＭ等にこのプログラムが格納され、ＣＰＵにて実行される。また、これらのプログラムは、例えば、プログラム伝送装置からネットワークを介して提供される場合もある。
【発明の効果】
【００１６】
本発明によれば、別個に撮影された商品画像と人物画像とを関連付けることが可能となり、個人用のカタログを簡易に生成することができる。
【発明を実施するための最良の形態】
【００１７】
以下、添付図面を参照して、本発明の実施の形態について詳細に説明する。
図１は、本実施の形態が適用されるカタログ作成システムの全体構成を示した図である。図１に示すカタログ作成システムは、例えば撮影室にて、商品画像および人物画像を撮影する撮影手段としてのデジタルカメラ１１、デジタルカメラ１１にて撮影される被写体に対して光を照射する光源１２、被写体である人物や、商品を試着したマネキン人形を撮影のために立たせるお立ち台１３を備えている。お立ち台１３には、撮影される人物や商品を試着しているマネキン人形を立たせる基準位置となる立ち位置マーク１３ａが形成されている。また、図１に示すカタログ作成システムは、システム全体の制御を実行するコンピュータ装置として、例えば、パーソナルコンピュータ(ＰＣ)３０を備えている。このＰＣ３０は、表示装置としてのディスプレイ３０ａ、入力ユーザインタフェースの１つであるキーボード３０ｂを有している。また、このＰＣ３０には、商品情報が格納される商品データベース(商品ＤＢ)２１、顧客情報が格納される顧客情報データベース(顧客情報ＤＢ)２２、背景画像やアクセサリ画像等の各種画像データが格納される画像情報データベース(画像情報ＤＢ)２３、ＰＣ３０にて生成された画像をプリント出力するプリンタ２５が接続されている。お立ち台１３は、ＰＣ３０からの制御によって、例えば３６０°回動可能に構成されている。
【００１８】
制御装置であるＰＣ３０は、お立ち台１３とデジタルカメラ１１の撮影タイミング、光源１２の点灯を制御している。また、デジタルカメラ１１から撮影画像を取得し、お立ち台１３の回転角度を取得画像に添付している。更に、予め撮影された商品情報が格納されている商品ＤＢ２１から商品画像データを読み出し、ＰＣ３０にて実行されるオーバーレイアプリケーションソフトを用いて合成がなされる。また、合成された画像データは、接続されるプリンタ２５によって出力することが可能である。商品ＤＢ２１は、例えばネットワークを介して遠隔地に接続される場合もある。かかる場合には、例えば公衆通信網を利用して接続がなされる。
【００１９】
図２は、例えば、ＰＣ３０で形成される制御装置の機能構成を示したブロック図である。ここでは、ＰＣ３０上のＵＩ(ディスプレイ３０ａやキーボード３０ｂ等)として、デジタルカメラ１１による撮影のための各種制御を実行する撮影制御部３１、デジタルカメラ１１からの撮影画像を入力するための撮影画像入力部３２、顧客情報を入力するための顧客情報入力部３３、各種商品情報を入力するための商品情報入力部３４、画像合成を指示するための画像合成指示部３５、ディスプレイ３０ａやプリンタ２５等への画像の出力を制御する出力選択部３６を備えている。
【００２０】
また、ＰＣ３０は、撮影制御部３１からの指示を受けて光源１２の中から特定の光源を選択する光源選択部４１、撮影制御部３１からの指示を受けてお立ち台１３の回転を制御するお立ち台回転制御部４２を備えている。更に、撮影制御部３１からの制御に基づき、撮影画像入力部３２から入力された画像データ(画像情報)を、処理のための各種メモリ(図示せず)や商品データベース２１、顧客情報データベース２２、画像情報データベース２３等に格納する画像情報格納部４３、顧客情報入力部３３から入力された顧客情報を、処理のための各種メモリ(図示せず)や顧客情報データベース２２に格納する顧客情報格納部４４を備えている。また更に、商品情報入力部３４により入力された商品情報に基づき、顧客情報格納部４４に格納されているサイズを特定するための顧客情報を用い、商品データベース２１にアクセスして商品を選択する商品選択部４５を備えている。また、画像合成指示部３５からの指示のもと、例えば、顧客情報データベース２２(または画像情報データベース２３)に格納されている画像データと、商品選択部４５により選択されて商品データベース２１(または画像情報データベース２３)から読み込まれた商品画像データとを合成する画像合成部４６を備えている。更に、出力選択部３６の出力選択指示に基づき、ディスプレイ３０ａに対する画像表示を制御する表示制御部４７、プリンタ２５へのプリント出力を制御するプリント制御部４８を備えている。
【００２１】
次に、本実施の形態が適用されるカタログ作成システムの処理について説明する。
図３は、カタログ作成処理全体の流れを示したフローチャートである。本実施の形態では、被写体である人物を撮影して画像データを得る顧客角度別撮影工程(ステップ１００)、切り出される服等の商品を撮影して商品画像データを得る商品見本角度別撮影工程(ステップ２００)、取得された人物の画像データと商品の商品画像データとを重ね合わせてカタログ画像データを生成するオーバーレイ工程(ステップ３００)、生成されたカタログ画像データをプリントアウトする印刷工程(ステップ４００)、各種画像データや商品情報、顧客情報等を各種データベースに格納するためのデータベース化工程(ステップ５００)によって構成される。尚、データベース化工程(ステップ５００)は、オーバーレイ工程(ステップ３００)や印刷工程(ステップ４００)の前に実行されても構わない。
以下、各工程について詳述する。
【００２２】
図４は、図３のステップ１００に示す顧客角度別撮影工程を示したフローチャートである。このフローチャートに示す各処理は、例えばＰＣ３０のＣＰＵにて実行されるアプリケーションプログラム等によって実現される。図２を参照して説明すると、ＰＣ３０の撮影制御部３１は、まず、被写体である人物の撮影箇所を特定する(ステップ１０１)。即ち、個人用のカタログを作成するためには、例えば、体全体、顔を含む頭部、腕、足等、通常露出する体の部位を画像として容易に切り出すことが必要である。そのために、個人カタログ作成のために必要な撮影箇所の特定がなされる。また、撮影制御部３１は、切り出しを容易に行うために、被写体である人物のポーズの特定がなされる(ステップ１０２)。尚、これらの特定情報は、例えばディスプレイ３０ａを用いて顧客に表示出力することも、撮影を容易にするためには有効である。
【００２３】
ステップ１０２で特定されるポーズは、商品画像データとオーバーレイしたときに、例えば服から体がはみ出さないように、商品見本撮影と同じポーズが好ましい。最もずれるのが足と腕である。図１に示すように、お立ち台１３には立ち位置マーク１３ａが形成されており、この立ち位置マーク１３ａに足位置を合わせて立つことで、足の位置を固定できる。一方、腕に関しては、真っ直ぐか、肘を曲げる場合には、商品を撮影した際に用いた、例えばマネキンと同じ角度に保つことが好ましい。このためには、例えば、背景と同系色のスペーサで肘と脇腹の隙間を固定し、また角度については、マネキン腕部を参照したり、マネキン腕部の型で角度を決めることも有効である。
【００２４】
更に、撮影箇所の特定やポーズの特定の他に、例えば、背景(バック)の特定等も行われる。背景は、グレイのバック、薄緑等、複数が準備され、適宜、選択される。特に、髪の毛と同色にならないように選択されることが好ましい。この背景は、スクリーンを複数種類、配置する場合の他、映像等によって自動的に切り替わるように構成することも可能である。また、人物は、例えば体型にフィットした水着等、肌が切り出し易いことが望まれる。その色は、背景や肌、頭髪等と容易に分離可能な色や、肌色に似た色等が好ましい。
【００２５】
また、撮影制御部３１は、デジタルカメラ１１に対して各種設定情報を送信する(ステップ１０３)。この設定情報は、画像データのオーバーレイ時に、人物の画像データと商品データベース２１に格納されている商品画像データとのバランスが保たれるように、倍率等が一致するように設置、設定がなされる。被写体の立ち位置、デジタルカメラ１１の設置位置を固定(ズームレンズであれば画角を固定)することにより、倍率を固定することができる。
【００２６】
ここで、撮影制御部３１からの指示に基づき、光源選択部４１によって、光源１２の中から最も好ましいものが選定され、設定された所定の条件で点灯がなされる(ステップ１０４)。光源１２としては、昼光(Ｄ６５相当)、タングステン(Ａ光源)、室内蛍光灯(Ｆ２、Ｆ８等)、数種類用意しておくことが好ましい。オーバーレイされる商品の利用状況を加味した上で、オーバーレイされる被写体である人物の撮影条件が決定されると、より良いオーバーレイ画像(合成画像)を得ることが可能となる。但し、人物像の撮影段階では、ただ単に昼光のみに固定しても構わない。
【００２７】
その後、角度別撮影工程、即ち、お立ち台１３を回転させて所定角度で停止させ、デジタルカメラ１１で被写体の撮影が実行される(ステップ１０５)。例えば、図２に示すお立ち台回転制御部４２は、撮影制御部３１からの指示に基づき、お立ち台１３を回転させる。例えば、右回りに正面→側面(デジタルカメラ１１には人物の左手が写る)→背面→側面(デジタルカメラ１１には人物の右手が写る)というように、撮影画像データの角度別撮影順序が決定されていることが好ましい。また、お立ち台１３の回転動作とデジタルカメラ１１とが連動するように構成し、シャッターを自動的に切るように構成することもできる。以上のようにして、デジタルカメラ１１により人物が撮影され、ＰＣ３０は、撮影画像入力部３２を介して画像データを入力する(ステップ１０６)。
【００２８】
そして、画像情報格納部４３や画像合成部４６によって、オーバーレイされる部位の画像に対する切り出しが実行される(ステップ１０７)。即ち、服の上にオーバーレイされる体の部分が分離される。例えば側面画像では、腹部、胸部等の体の上に服が位置し、更にその上に腕あるいは手が位置するようにオーバーレイされなければならない。そのために、側面撮影、４５度撮影等、服の上にくる体の一部は、その一部だけを分離できるように撮影して、別の画像としておくと良い。その後、切り出された画像データがメモリ等に格納されて(ステップ１０８)、顧客角度別撮影工程(ステップ１００)の処理が終了する。
【００２９】
図５は、図３のステップ２００に示す商品見本角度別撮影工程を示したフローチャートである。ここでは、まず、商品情報入力部３４から商品情報が入力される(ステップ２０１)。また、商品情報が入力された商品を着たマネキン人形(マネキン)の撮影箇所が、撮影制御部３１により特定される(ステップ２０２)。即ち、切り出されるのは、着用状態の服などであり、商品の着用状態を作り出すためにマネキンが用いられる。このマネキンは、体型別に用意されることが好ましい。その際、標準体型の身長に対応したものだけではなく、痩身、肥満体型など、所謂体型のバリエーションを準備しておくと、より現実にマッチした商品画像データを得ることができる。また、例えばノースリーブなどの場合には、腕なしのマネキンを用いた撮影を行うと、側面の服の生地が全て撮影できる点から都合が良い。また、マネキンの色と服地の色とが近い場合には、マネキンをあとから透過するために、服地と識別し易い色のマネキンにするか、服地と違った色の布でマネキンを覆ってから服を着させる等の処置を取ることも優れている。
【００３０】
その後、前述したステップ１００の顧客角度別撮影工程と同条件で撮影が実行される。即ち、撮影制御部３１は、デジタルカメラ１１に設定情報を送信し(ステップ２０３)、光源選択部４１は、光源１２の中から好ましい光源を選定し、所定の条件で点灯させる(ステップ２０４)。例えばイブニングドレスなどはＡ光源の下で被写体が撮影され、アウトドア用ウェアなどは昼光下、フォーマルウェアなどは室内蛍光灯などの下で撮影すると、実際の使用条件に近い商品画像データを得ることができる。そして、このような各種撮影条件下にて、お立ち台回転制御部４２による制御下にて、お立ち台１３を回転させ、所定角度で停止させ、デジタルカメラ１１にて被写体であるマネキンを撮影する(ステップ２０５)。尚、撮影する際の角度は、細かく区切った状態にて、細かく撮影することが望ましい。例えば、前述の９０度ごとに加え、例えばその間の４５度ごとの撮影も加えておく。また、商品見本は大量に撮影することになることから、お立ち台１３は自動的に回転させ、回転に連動して、角度別の撮影が順次、実行され、一周で撮影が終了する。更に、光源の種類分だけ撮影が行われる。
【００３１】
このようにしてデジタルカメラ１１により撮影された商品画像データについて、撮影画像入力部３２を介して入力がなされる(ステップ２０６)。尚、この入力される商品画像データには、例えばデジタルカメラ１１によって予め、または、例えば画像情報格納部４３によって、商品画像データに商品情報が付加されている。画像情報格納部４３は、商品情報、撮影条件の各種情報に対応付けて、商品画像データを商品データベース２１に格納して(ステップ２０７)、処理が終了する。複数回撮影された場合には、例えば各々の角度情報に対応付けて、順次、撮影された商品画像データが商品データベース２１等に格納される。尚、データベース化については後述する。
【００３２】
次に、図３のフローチャートにおけるステップ３００のオーバーレイ工程について説明する。
図６は、オーバーレイ工程の処理の流れを示したフローチャートである。オーバーレイ工程では、画像合成部４６によって、まず、顧客角度別撮影により得られた画像データ(または、顧客情報データベース２２等のデータベースから読み出された画像データ)に前処理が施される(ステップ３０１)。ステップ１００の顧客角度別撮影工程を経て、各光源、各角度にて撮影された画像データが存在するが、これらに対しては、同様な前処理を施すことができる。この前処理を施すことにより、例えば背景画像を画像情報データベース２３の中から選択して合成画像を作成することが可能となる。ここで、背景色と人物(頭髪、服等を含む)の分離は、簡単な色処理で可能となる。背景部分のみが透過、人物部分は非透過になるような人物非透過マスクプレーンを作成して、撮影画像と一対一の対応付けを行うことも有効である。この一対一の対応付けとしては、ある条件で撮影されたファイルを呼び出すと、人物非透過マスクプレーンも同時に呼び出され、操作上は１つのファイルとして扱われるものが考えられる。尚、これらの前処理工程は省略することも可能である。非透過マスクプレーンは、例えば各画素に対応して１ビットが設けられ、このビットが０か１かによって、透過か非透過かを判断するように構成することができる。
【００３３】
次に、商品データベース２１から読み込まれた(読み出された)商品画像データに前処理が施される(ステップ３０２)。
この前処理は、基本的には、ステップ３０１の処理と同様である。但し、服の部分だけを非透過とする服非透過マスクプレーンが作成される。服飾の一部として、帽子、ベルト、ネックレスなどのアクセサリ等があるが、皆同等であり、商品だけが非透過なマスクプレーンを用意しておくことが好ましい。尚、かかる小物に関する画像は、服のような全景のサイズは必要ない。
【００３４】
ここで、商品データベース２１から重ね合わされる商品画像データが読み出される際には、前述した角度情報等の商品撮影時情報に基づいて、所定の商品画像データが選定される。より具体的には、顧客の画像データに関連付けされた人物撮影時情報の中から、例えば角度情報を取り出し、お立ち台１３のどの角度で撮影された画像データであるか否かが判断される。重ね合わされる商品画像データは、この画像データと撮影した際の角度が一致していることが好ましい。そこで、ある特定の商品の中から、この角度情報と商品撮影時情報に含まれる角度が同じ商品画像データが読み出される。同様に、光源名等についても、画像を合成する際の撮影条件として支障を来すことのない商品画像データが読み出される。このようにして読み出された商品画像データに対して、前述した前処理が施される。
【００３５】
ここで、これらの前処理に前後して、オーバーレイの順序が決定される(ステップ３０３)。このオーバーレイの順序は、服やアクセサリなどを全て装着した場合の上下、或いは奥か手前かの順序である。背景を入れる場合には、一番奥は背景であり、次に、人物、シャツ、上着、アクセサリといったオーバーレイの順序が決定される。その後、重ねる位置に合わせて、画像データ、商品画像データが加工される(ステップ３０４)。ここでは、画像毎に、重ねる位置を平行移動、回転、縮小、拡大等の加工が施される。このとき、例えば、図２に示す画像合成指示部３５等に、所定の調整機構を備えていることが好ましい。これは、例えばネックレスなどのような肌に密着するような小物の位置を自動的に決定することは難しく、例えばＰＣ３０を操作するユーザによって微調整できることが望まれるためである。また、袖やスカート、ズボンの裾などに関しては、人物ごとに個体差があるため、画像上でカットできることが好ましい。
【００３６】
このようにして前処理がなされた画像データ、商品画像データが、順に重ね合わされる(ステップ３０５)。オーバーレイにより作成された画像は、複数層で構成されているが、最も上面で且つ非透過である画像が最終的に選択され、一枚の画像となる。角度別の撮影画像も同様の手続きで作成される。実際には、本実施の形態では、Ａ４サイズの用紙に、正面・背面・側面(２方向)の４シーンがマージされ、更に、顧客情報や商品情報、店舗に関する情報等の他の情報がマージされて、一枚の画像データが生成される(ステップ３０６)。このようにして、図３に示すオーバーレイ工程３００が終了する。尚、印刷工程４００では、オーバーレイ工程にて作成された顧客個人のパーソナルカタログをプリンタ２５で順次、印刷することにより、紙などの記録媒体上にパーソナルカタログが生成される。
【００３７】
次に、図３のステップ５００に示したデータベース化工程について説明する。
図７は、商品データベース２１に格納される服飾データの一例を示した図である。商品データベース２１には、商品識別のためのＩＤ、商品の適応サイズ情報、および、商品が撮影された際の撮影時情報(商品撮影時情報)が、各々対応付けられた状態で格納される。商品識別のためのＩＤは、製造元会社名(ブランド名)、商品番号、サイズ、色柄番号等、複数商品から特定の商品を選定する際に用いられる情報である。通常の商品にコード情報として付加されているものと同様である。具体的には、Ａ株式会社(製造元会社名)、ＡＺ−１０２４(商品番号)、９Ａ(サイズ)、３(色柄番号)といったものである。
【００３８】
また、商品の適応サイズ情報は、体型の測定値から最適なサイズの商品(服など)を選択するために用いられる。即ち、顧客の体型を特定するための情報が取得された場合に、最適な商品を選択するために、データベースが準備される。例えば、身長が１６５〜１７５ｃｍ、胸囲が９０〜９５ｃｍ、ウェストが７６〜８１ｃｍ、身丈が７４ｃｍ、身幅が５６ｃｍ等である。例えば、顧客データがインプットされた際に、データベースから、この顧客のサイズに合致した適応サイズ情報を有する商品が選定される。選定された商品の商品識別のためのＩＤを用いて、対応する商品画像データが商品データベース２１から読み出される。読み出された商品画像データは、その商品の商品識別のためのＩＤと共に、画像合成部４６に提供される。
【００３９】
更に、商品データベース２１には、商品情報に対応付けて、商品画像データの撮影時の情報が格納されている。これは、商品を撮影した際の、被写体(お立ち台１３)の角度、光源、高さの基準などを含む。例えば、画像をオーバーレイするときの高さの基準として、例えば上着であれば、お立ち台１３から肩の肩甲骨端部までの高さ(肩の高さ)を採用することができる。例えば、スラックスであれば股下からお立ち台１３までの高さ、スカートであればウェストからお立ち台１３までの高さ等が採用されることが好ましい。痩身、標準、肥満などの体型のタイプがあれば、それを示す情報(体型のタイプ)が含まれる。具体的には、例えば、体型を１〜９の９段階に分類し、５が標準、１が痩身、９が肥満等とすることができる。図７の例では、体型の情報として「１」の痩身とされている。また、同一商品を複数回、撮影した場合には、それらを識別できる情報が含まれる。例えば、撮影した際のお立ち台１３の角度(例えば０度など)、光源名(例えばＤ６５など)がある。図２に示す商品選択部４５にて、商品データベース２１から商品画像データが読み出される際に、合成される顧客を被写体とした画像データの撮影状況に合わせて、同一商品に対する複数の商品画像データの中から、合成に最適な商品画像データが選別されるように構成することができる。
【００４０】
尚、商品データベース２１は、商品画像データ格納手段として、撮影された商品画像データそのものを格納するように構成することができる。これらの商品画像データは、前述した商品識別のためのＩＤに対応付けされた状態で、例えば、外付けハードディスクドライブ(図示せず)等のハードウェアを用いて格納されている。複数回の撮影がなされる場合には、同一商品であっても、撮影された際の各々の角度(お立ち台１３の角度)に対応付けて複数の商品画像データが格納される。勿論、商品画像データそのものの格納は、画像情報データベース２３にまとめることもできる。
【００４１】
次に、顧客情報のデータベースについて説明する。
図８は、顧客情報データベース２２に格納される各種顧客情報の例を示した図である。顧客情報データベース２２には、顧客特定のための情報、体型に関する情報、撮影時の追加情報(人物撮影時情報)が、各々対応付けられた状態で格納される。顧客特定のための情報としては、氏名、住所、電話番号、Ｅメールアドレスなどがある。性別、生年月日や、撮影日時情報等も含めることが可能である。体型に関する情報としては、身長やバスト、ウェスト、袖丈、股下など、服のサイズを特定するための測定情報が含まれる。体型の経年変化を考えれば、再測定の結果を日付と共に追加して格納することも好ましい。
【００４２】
撮影時の追加情報としては、対応画像データ番号が含まれる。この対応画像データ番号により、人物(顧客)の画像データに対応付けることが可能となる。また、基準位置からの肩の高さ(例えば肩甲骨端部とお立ち台１３との距離)、同様な基準位置からのウェスト高さ、股下高さ等が入力される。これらの情報を利用することで、自動的にオーバーレイするときの服の高さを自動的に調整することができる。撮影時の倍率を固定とした場合には、撮影時に傾向等の識別し易いマーク(例えば十字マーク等)を所定位置に貼り付け、撮影することで、高さや位置を自動的に測定することも有効である。
【００４３】
尚、顧客情報データベース２２は、撮影された人物の画像データそのものを格納するように構成することもできる。これらの画像データは、前述した顧客特定のための情報に対応付けされた状態で、例えば、外付けハードディスクドライブ(図示せず)等のハードウェアを用いて格納されている。複数回の撮影がなされる場合には、同一人物であっても、撮影された際の各々の角度(お立ち台１３の角度)に対応付けて複数の画像データが格納される。勿論、画像データそのものの格納は、画像情報データベース２３にまとめることもできる。
【００４４】
以上のようにして服飾等のデータベース(商品データベース２１)、顧客情報データベース２２、画像情報データベース２３や、その他、顧客撮影時に追加されるデータベースなどを利用することによって、別個に撮影した各々の画像を簡単に関連付けることができ、かつ、合成画像を簡易に作成することが可能となる。
【００４５】
以上、詳述したように、本実施の形態が適用されるパーソナルカタログ作成システムでは、商品と人物とを別個に撮影し、この別個に撮影された商品画像データと人物の画像データとを撮影条件や商品情報等に基づいてオーバーレイすることで、顧客固有の画像データであるカタログを作成することを可能にしている。このオーバーレイされる商品画像データは、撮影されたものであることから、店舗に商品の在庫があるか否かを問わず、カタログを作成することが可能である。また、ディスプレイでカタログを見るだけで良ければ、公衆通信網を利用して、簡易に電送することも可能である。また、顧客が店舗へ出向かずとも、自己のデータベースさえ持っていれば、インターネット等のネットワークを介して商品を選択し、合成させることにより、簡単にパーソナルカタログを作成することができる。
【００４６】
尚、上記実施の形態の例では、店舗等に配置されるＰＣ３０にて実行される処理について説明したが、例えば、各種データベース(商品データベース２１、顧客情報データベース２２、画像情報データベース２３)の一部または全部を遠隔地に配置し、インターネット等のネットワークを介してデータのやりとりを行うように構成することもできる。また、図２に示すＰＣ３０の各機能の一部または全部を遠隔地に配置し、インターネット等のネットワークを介して処理を実行するように構成することも可能である。
【産業上の利用可能性】
【００４７】
本発明の活用例としては、店舗等に用いられるコンピュータ装置、記憶装置、撮影システムの他、インターネット等を介して情報を提供するサーバ等に活用されることが考えられる。
【図面の簡単な説明】
【００４８】
【図１】本実施の形態が適用されるカタログ作成システムの全体構成を示した図である。
【図２】例えばＰＣで形成される制御装置の機能構成を示したブロック図である。
【図３】カタログ作成処理全体の流れを示したフローチャートである。
【図４】図３のステップ１００に示す顧客角度別撮影工程を示したフローチャートである。
【図５】図３のステップ２００に示す商品見本角度別撮影工程を示したフローチャートである。
【図６】オーバーレイ工程の処理の流れを示したフローチャートである。
【図７】商品データベースに格納される服飾データの一例を示した図である。
【図８】顧客情報データベースに格納される各種顧客情報の例を示した図である。
【符号の説明】
【００４９】
１１…デジタルカメラ、１２…光源、１３…お立ち台、２１…商品データベース(商品ＤＢ)、２２…顧客情報データベース(顧客情報ＤＢ)、２３…画像情報データベース(画像情報ＤＢ)、３０…ＰＣ(パーソナルコンピュータ)、３１…撮影制御部、３２…撮影画像入力部、３３…顧客情報入力部、３４…商品情報入力部、３５…画像合成指示部、３６…出力選択部、４１…光源選択部、４２…お立ち台回転制御部、４３…画像情報格納部、４４…顧客情報格納部、４５…商品選択部、４６…画像合成部、４７…表示制御部、４８…プリント制御部
【図１】
2005174204.tif 000003
【図２】
2005174204.tif 000004
【図３】
2005174204.tif 000005
【図４】
2005174204.tif 000006
【図５】
2005174204.tif 000007
【図６】
2005174204.tif 000008
【図７】
2005174204.tif 000009
【図８】
2005174204.tif 000010